(57)【要約】      （修正有）【課題】収納状態から使用状態に簡単に組み立てることができ、安価に製造できる折りたたみ式の採尿用容器を提供する。【解決手段】採尿用容器１の円筒状の外周板１０に、外周板の上端部側を折り曲げて互いに重なる２面の平板部とする一対の第１折り曲げ線３１と、外周板１０の下端部側を折り曲げて底板２０を平板部に重ねる第２折り曲げ線３２とを形成する。【選択図】図１
0003223480.tif 000002
【実用新案登録請求の範囲】
【請求項１】
耐水性のシート材で形成され、筒状の外周板と、外周板の下端部を閉塞するように該外周板に連接する底板とを有する採尿用容器であって、
上記底板が円形に形成されるとともに、上記外周板が円筒状に形成され、
上記外周板に、該外周板の上端部側を折り曲げて互いに重なる２面の平板部とする一対の第１折り曲げ線と、上記外周板の下端部側を折り曲げて上記底板を上記平板部に重ねる第２折り曲げ線とが形成され、
上記平板部と底板とが重なる第１状態と、上記外周板と底板の内部に収容空間が形成される第２状態とに変形可能である
ことを特徴とする採尿用容器。
【請求項２】
請求項１において、
上記第２折り曲げ線は、上記一対の第１折り曲げ線の下端同士を結ぶ線上に形成された横折り曲げ線と、上記各第１折り曲げ線の下端を頂点とし上記外周板の下端を底辺とする略三角形の折り曲げ部の２つの斜辺に沿った斜め折り曲げ線と、
を有することを特徴とする採尿用容器。
【請求項３】
請求項１または２において、
上記円筒状の外周板は、下端の直径よりも上端の直径が大きい
ことを特徴とする採尿用容器。
【考案の詳細な説明】
【技術分野】
【０００１】
本開示は、採尿用容器に関するものである。
【背景技術】
【０００２】
従来の採尿用容器には、紙やプラスチックで形成され、折り畳み可能に構成された容器がある。例えば、特許文献１には、四角筒を構成する側板と、側板の下端を閉塞する底板とを備え、底板をクロスした対角線に沿った折り曲げ線で折り曲げるとともに、一対の側板も縦方向の折り曲げ線で折りたたむことにより、収納時に平坦な形態にすることができる採尿用容器が開示されている。
【０００３】
特許文献１には、紙やポリエチレン樹脂を成形したフィルムにより、上記構成の採尿用容器を形成することが開示されている。また、特許文献１には、採尿用容器を使用状態にして尿を採取した状態で、尿を細い筒状の容器に移すための嘴状の注ぎ口を形成することも開示されている。
【先行技術文献】
【特許文献】
【０００４】
【特許文献１】実用新案登録第３０８８４９４号公報
【考案の概要】
【考案が解決しようとする課題】
【０００５】
特許文献１の容器は、形状が複雑であり、収納状態から使用状態に組み立てるのが容易でなく、例えば高齢者では組み立てが困難な場合がある。また、形状が複雑であるため、製造が容易でなく、折り畳み工程も容易でないため、コストが高い問題がある。
【０００６】
本開示の目的は、折りたたみ式の採尿用容器を、収納状態から使用状態に簡単に組み立てることができ、安価に製造できるようにすることである。
【課題を解決するための手段】
【０００７】
第１の態様は、
耐水性のシート材で形成され、筒状の外周板と、外周板の下端部を閉塞するように該外周板に連接する底板とを有する採尿用容器を前提とする。
【０００８】
そして、第１の態様の採尿用容器は、
上記底板が円形に形成されるとともに、上記外周板が円筒状に形成され、
上記外周板に、該外周板の上端部側を折り曲げて互いに重なる２面の平板部とする一対の第１折り曲げ線と、上記外周板の下端部側を折り曲げて上記底板を上記平板部に重ねる第２折り曲げ線とが形成され、
上記平板部と底板とが重なる第１状態と、上記外周板と底板の内部に収容空間が形成される第２状態とに変形可能である
ことを特徴とする。
【０００９】
第２の態様は、第１の態様において、
上記第２折り曲げ線は、上記一対の第１折り曲げ線の下端同士を結ぶ線上に形成された横折り曲げ線と、上記各第１折り曲げ線の下端を頂点とし上記外周板の下端を底辺とする略三角形の折り曲げ部の２つの斜辺に沿った斜め折り曲げ線と、
を有することを特徴とする。
【００１０】
第３の態様は、第１または第２の態様において、
上記筒状の外周板は、下端の直径よりも上端の直径が大きい
ことを特徴とする。
【００１１】
第１から第３の態様では、筒状の外周板とその下端を閉塞する底板とを有するカップ状の容器を採尿用容器として用い、外周板に第１折り曲げ線と第２折り曲げ線を形成することで、平板部と底板とが重なる平坦な第１状態（収納状態）と、外周板と底板の内部に収容空間が形成される第２状態（使用状態）とに簡単に変形させることが可能である。
【考案の効果】
【００１２】
本考案の上記態様によれば、カップ状の採尿用容器の外周板に第１折り曲げ線と第２折り曲げ線を形成することで、平板部と底板とが重なる平坦な第１状態（収納状態）と、外周板と底板の内部に収容空間が形成される第２状態（使用状態）とに変形させることが可能であり、簡単な構成で、変形容易な折りたたみ式の採尿用容器を実用化できる。また、採尿用容器の構成（形状）が複雑でないため、製造が容易で、折り畳み工程も容易である。したがって、生産コストを従来よりも低減できる。
【図面の簡単な説明】
【００１３】
【図１】図１は、折り曲げ前の採尿用容器の斜視図である。
【図２】図２は、採尿用容器の折り曲げ途中の段階を示す斜視図である。
【図３】図３は、採尿用容器の折り曲げが完了した収納状態を示す正面図である。
【図４】図４は、図３の採尿用容器の側面図である。
【図５】図５は、使用状態にした採尿用容器の斜視図である。
【考案を実施するための形態】
【００１４】
以下、実施形態を図面に基づいて詳細に説明する。
【００１５】
《実施形態１》
実施形態１について説明する。
【００１６】
＜採尿用容器の構成＞
本実施形態の採尿用容器１は、図１に示すように、円筒状の紙カップを利用して形成されるものである。この採尿用容器１は、耐水性のシート材、具体的には内面に耐水処理が施された紙素材で形成されている。採尿用容器１は、筒状の外周板１０と、外周板１０の下端部を閉塞するように該外周板１０に連接する底板２０とを有する。
【００１７】
底板２０は円形に形成されている。外周板１０は円筒状に形成されている。円筒状の外周板１０は、下端の直径Ｄ１よりも上端の直径Ｄ２が大きい。
【００１８】
外周板１０には、該外周板１０を折り曲げるための折り曲げ線３０が形成されている。具体的には、折り曲げ線３０には、外周板１０の上端部側を折り曲げて互いに重なる２面の平板部１１とする第１折り曲げ線３１と、外周板１０の下端部側を折り曲げて底板２０を平板部１１に重ねる第２折り曲げ線３２とが含まれる。
【００１９】
第２折り曲げ線３２は、一対の第１折り曲げ線３１の下端同士を結ぶ線上に形成された横折り曲げ線３３を有する。また、第２折り曲げ線３２は、各第１折り曲げ線３１の下端を頂点とし上記外周板１０の下端１２を底辺とする略三角形の折り曲げ部１３１３の２つの斜辺に沿った斜め折り曲げ線３４を有する。
【００２０】
以上の構成により、本実施形態の採尿用容器１は、外周板１０を折り曲げて形成される平板部１１に底板２０が重なる図３，図４の第１状態（収納状態）と、筒状にした外周板１０と底板２０の内部に収容空間が形成される図５の第２状態（使用状態）とに変形可能である。
【００２１】
＜採尿用容器の収納状態と使用状態の形状変化＞
図１に示す未使用状態の採尿用容器１を折り畳むのは、まず、図２に示すように、第１折り曲げ線３１に沿って外周板１０の上端部側を折り曲げて、２面の平板部１１を互いに重なる状態とする。このとき、外周板１０の下端部側は、第２折り曲げ線３２の横折り曲げ線３３と斜め折り曲げ線３４とで折り曲げられて、底板２０と重なる状態となる。
【００２２】
次に図３，図４に示すように、外周板１０の下端部と重なった底板２０を、平板部１１と重なるように第２折り曲げ線３２の横折り曲げ線３３で折り曲げる。このことにより、採尿用容器１は、平坦な収納状態となる。
【００２３】
平坦な収納状態になった採尿用容器１は、例えば健康診断で用いられる採尿セットとして、細い円筒状の収納容器（スピッツ）とともに包装用の袋に収納される。
【００２４】
採尿するときは、包装用の袋から、図３及び図４に示すように平坦になった状態の採尿用容器１を取り出す。次に、図３に示すように底板２０を平板部１１に対してほぼ直角になるように起こす。さらに、第１折り曲げ線３１で折り曲げられた外周板１０の平板部１１同士を離す。こうすることにより、採尿用容器１は、図５に示すように、外周板１０が第１折り曲げ線３１で折り癖のついた状態で立体化する。このとき、外周板１０と底板２０との間には、尿を採取するための空間が形成される。
【００２５】
なお、図５は上端の寸法Ｄ３を図１の直径Ｄ１よりも小さい状態で示しているが、この採尿用容器１は耐水性のある紙で形成されているので、寸法Ｄ３を図１の直径Ｄ１に戻すことも可能である。
【００２６】
採尿用容器１は、図５の仕様状態において、外周板１０の上縁における第１折り曲げ線３１のところが折れ曲がっている。この折れ曲がった部分は、採取した尿を円筒状の収納容器（スピッツ）に移し換えるときの注ぎ口１４として用いられる。尿を収納容器に移し換えた後は、収納容器にキャップをはめて密閉することで、尿の採取が完了する。
【００２７】
−実施形態の効果−
本実施形態では、筒状の外周板１０とその下端を閉塞する底板２０とを有するカップ状の容器を採尿用容器１として用いている。そして、外周板１０に第１折り曲げ線３１と第２折り曲げ線３２を形成することで、平板部１１と底板２０とが重なる平坦な第１状態（収納状態）と、外周板１０と底板２０の内部に収容空間が形成される第２状態（使用状態）とに簡単に変形させることが可能である。
【００２８】
したがって、採尿用容器１の使用時には、例えば高齢者などでも簡単に組み立てられることができ、簡単な構成で、変形容易な折りたたみ式の採尿用容器１を実用化できる。
【００２９】
また、採尿用容器１の構成（形状）が複雑でないため、製造が容易で、折り畳み工程も容易である。したがって、生産コストを従来よりも低減できる。
【００３０】
また、外周板１０を第１折り曲げ線３１で折り曲げた部分を注ぎ口１４として用いることができるため、専用の注ぎ口を別途形成しなくてもよい。
【００３１】
さらに、本実施形態の採尿用容器１は、プラスチック容器を用いずに紙コップを用いているため、環境汚染の低減にも寄与する。
【００３２】
《その他の実施形態》
上記実施形態については、以下のような構成としてもよい。
【００３３】
例えば、上記実施形態の採尿用容器１において、筒状の外周板１０は、必ずしも下端の直径Ｄ１よりも上端の直径Ｄ２を大きくしなくてもよく、下端の直径Ｄ１と上端の直径Ｄ２が同じでもよい。
【００３４】
なお、以上の実施形態は、本質的に好ましい例示であって、本開示、その適用物、あるいはその用途の範囲を制限することを意図するものではない。
【産業上の利用可能性】
【００３５】
以上説明したように、本開示は、採尿用容器について有用である。
【符号の説明】
【００３６】
１    採尿用容器
１０  外周板
１１  平板部
１２  外周板の下端
１３  折り曲げ部
１４  注ぎ口
２０  底板
３０  折り曲げ線
３１  第１折り曲げ線
３２  第２折り曲げ線
３３  横折り曲げ線
３４  斜め折り曲げ線
Ｄ１  下端の直径
Ｄ２  上端の直径
【図１】
0003223480.tif 000003
【図２】
0003223480.tif 000004
【図３】
0003223480.tif 000005
【図４】
0003223480.tif 000006
【図５】
0003223480.tif 000007